(57)【要約】【課題】他の撮像者が撮像した画像を追加して利用者の電子アルバムを編集する場合に、電子アルバムに含まれる画像に関連した画像を精度よく選択して追加する。【解決手段】利用者により撮像された複数の画像を電子アルバムとして格納している第１格納部と、利用者とは異なる撮像者により撮像された複数の画像を含む電子アルバムのそれぞれを、当該電子アルバムに含まれる複数の画像における撮像者の移動経路に対応付けて格納している第２格納部と、第１格納部に格納されている複数の画像における利用者の移動経路を算出する移動経路算出部と、第２格納部に格納されている複数の電子アルバムから、算出された移動経路に対して基準値以上の一致度を示す移動経路に対応する電子アルバムを検出するアルバム検出部と、検出された電子アルバムに含まれる画像を第１格納部に格納させる編集部とを備える電子アルバム編集システムを提供する。【選択図】図１
2006270940.tif 000002
【特許請求の範囲】
【請求項１】
利用者により撮像された複数の画像を電子アルバムとして格納している第１格納部と、
前記利用者とは異なる撮像者により撮像された複数の画像を含む電子アルバムのそれぞれを、当該電子アルバムに含まれる複数の画像における前記撮像者の移動経路に対応付けて格納している第２格納部と、
前記第１格納部に格納されている複数の画像のそれぞれにおける撮像順序及び撮像地点に基づいて、当該複数の画像における前記利用者の移動経路を算出する移動経路算出部と、
前記第２格納部に格納されている複数の電子アルバムから、前記移動経路算出部により算出された移動経路に対して予め定められた基準値以上の一致度を示す移動経路に対応する電子アルバムを検出するアルバム検出部と、
前記アルバム検出部により検出された電子アルバムに含まれる複数の画像の少なくとも一部を前記第１格納部に格納させることにより、前記利用者の電子アルバムを編集する編集部と
を備える電子アルバム編集システム。
【請求項２】
前記編集部は、前記アルバム検出部により検出された電子アルバムに含まれる複数の画像のうち、前記第１格納部に格納されているすべての画像の撮像地点から予め定められた距離以上離れた地点で撮像されている画像を、前記第１格納部に格納させることにより、前記利用者の電子アルバムを編集する請求項１に記載の電子アルバム編集システム。
【請求項３】
前記アルバム検出部は、前記第２格納部に格納されている複数の電子アルバムに含まれる一の電子アルバムについて、当該一の電子アルバムに対応して前記第２格納部に格納されている移動経路と前記移動経路算出部により算出された移動経路との一致度が予め定められた基準値以上であり、且つ、当該一の電子アルバムに含まれる複数の画像が撮像された期間と前記第１格納部に格納されている複数の画像が撮像された期間との一致度が予め定められた基準値以上である場合に、当該一の電子アルバムを検出する請求項１に記載の電子アルバム編集システム。
【請求項４】
前記第２格納部に格納されている複数の電子アルバムにおける前記撮像者のそれぞれに対応付けて、重みを保持している重み保持部と、
前記アルバム検出部により電子アルバムが検出された場合に、当該検出された電子アルバムにおける前記撮像者に対応付けて前記重み保持部に保持されている前記重みを増加させる重み更新部と
を更に備え、
前記アルバム検出部は、前記第２格納部に格納されている複数の電子アルバムに含まれる、前記移動経路算出部により算出された移動経路に対して予め定められた基準値以上の一致度を示す移動経路に対応する複数の電子アルバムのうち、それぞれの電子アルバムにおける前記撮像者に対応する前記重みが最も大きい電子アルバムを、前記重み保持部から検出する
請求項１に記載の電子アルバム編集システム。
【請求項５】
前記移動経路算出部が算出した移動経路を利用者に提示する移動経路提示部と、
前記移動経路提示部が提示した移動経路を利用者の指示により変更する移動経路変更制御部と
を更に備え、
前記アルバム検出部は、前記第２格納部に格納されている複数の電子アルバムから、前記移動経路変更制御部が変更した移動経路に対して予め定められた基準値以上の一致度を示す移動経路に対応する電子アルバムを検出する
請求項１に記載の電子アルバム編集システム。
【請求項６】
前記第２格納部に格納されている複数の電子アルバムから、前記移動経路算出部により算出された移動経路に対して予め定められた基準値以上の一致度を示す移動経路に対応する複数の電子アルバムを前記アルバム検出部が検出した場合に、前記第１格納部が画像に対応づけて更に格納している撮像日時から、前記移動経路算出部が算出した移動経路を利用者が移動した移動時期を特定する第１移動時期特定部と、
前記第２格納部が画像に対応づけて更に格納している撮像日時から、前記アルバム検出部が検出した電子アルバムに含まれる画像に対応づけて前記第２格納部が格納している移動経路を前記撮像者が移動した移動時期を特定して当該電子アルバムに対応づけて記録する第２移動時期特定部と
を更に備え、
前記アルバム検出部は、前記アルバム検出部が検出した前記複数の電子アルバムの中で、前記第１移動時期特定部が特定した移動時期に最も近い、前記第２移動時期特定部が特定した移動時期に対応づけて記録している移動経路に対応づけて前記第２格納部が格納している電子アルバムを検出する
請求項１に記載の電子アルバム編集システム。
【請求項７】
複数の画像を含む電子アルバムを編集する電子アルバム編集方法であって、
第１格納部は、利用者により撮像された複数の画像を電子アルバムとして格納しており、
第２格納部は、前記利用者とは異なる撮像者により撮像された複数の画像を含む電子アルバムのそれぞれを、当該電子アルバムに含まれる複数の画像における前記撮像者の移動経路に対応付けて格納しており、
当該電子アルバム編集方法は、
前記第１格納部に格納されている複数の画像のそれぞれにおける撮像順序及び撮像地点に基づいて、当該複数の画像における前記利用者の移動経路を算出する移動経路算出段階と、
前記第２格納部に格納されている複数の電子アルバムから、前記移動経路算出段階において算出された移動経路に対して予め定められた基準値以上の一致度を示す移動経路に対応する電子アルバムを検出するアルバム検出段階と、
前記アルバム検出段階において検出された電子アルバムに含まれる複数の画像の少なくとも一部を前記第１格納部に格納させることにより、前記利用者の電子アルバムを編集する編集段階と
を備える電子アルバム編集方法。
【請求項８】
電子アルバム編集システムとしてコンピュータを機能させる電子アルバム編集プログラムであって、前記コンピュータを、
利用者により撮像された複数の画像を電子アルバムとして格納している第１格納部と、
前記利用者とは異なる撮像者により撮像された複数の画像を含む電子アルバムのそれぞれを、当該電子アルバムに含まれる複数の画像における前記撮像者の移動経路に対応付けて格納している第２格納部と、
前記第１格納部に格納されている複数の画像のそれぞれにおける撮像順序及び撮像地点に基づいて、当該複数の画像における前記利用者の移動経路を算出する移動経路算出部と、
前記第２格納部に格納されている複数の電子アルバムから、前記移動経路算出部により算出された移動経路に対して予め定められた基準値以上の一致度を示す移動経路に対応する電子アルバムを検出するアルバム検出部と、
前記アルバム検出部により検出された電子アルバムに含まれる複数の画像の少なくとも一部を前記第１格納部に格納させることにより、前記利用者の電子アルバムを編集する編集部
を備える電子アルバム編集システムとして機能させる電子アルバム編集プログラム。
【発明の詳細な説明】
【技術分野】
【０００１】
本発明は、電子アルバム編集システム、電子アルバム編集方法、及び電子アルバム編集プログラムに関する。特に本発明は、複数の画像を含む電子アルバムに画像を追加して、当該電子アルバムを編集する電子アルバム編集システム、電子アルバム編集方法、及び電子アルバム編集プログラムに関する。
【背景技術】
【０００２】
近年、デジタルカメラが急速に普及している。デジタルカメラは、フィルムを感光させて被写体の光学像を記録する銀塩カメラとは異なり、被写体の光学像をＣＣＤ等を用いて受光して、デジタルデータとしてフラッシュメモリ等の記録媒体に記録する。そして、デジタルカメラにより撮像された画像の、デジタルデータであるという特徴を活かして、複数の画像を電子アルバムとして一纏めにして管理する技術が開示されている（例えば、特許文献１参照。）。
【特許文献１】特開２００２−１１２１６５号公報
【発明の開示】
【発明が解決しようとする課題】
【０００３】
複数の画像を電子アルバムとして管理している場合に、利用者が、他の電子アルバムに含まれる画像を自身の電子アルバムに追加して、電子アルバムを編集したいと所望したとする。この場合、利用者の電子アルバムに追加される画像は、他の電子アルバムから無作為に抽出された画像ではなく、利用者の電子アルバムに含まれる画像に関連する画像であることが望ましい。しかし、特許文献１に記載されているような、従来の電子アルバム装置においては、このような電子アルバムの編集方法は提供されていない。
【０００４】
そこで本発明は、上記の課題を解決することができる電子アルバム編集システム、電子アルバム編集方法、及び電子アルバム編集プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、電子アルバム編集システムであって、利用者により撮像された複数の画像を電子アルバムとして格納している第１格納部と、利用者とは異なる撮像者により撮像された複数の画像を含む電子アルバムのそれぞれを、当該電子アルバムに含まれる複数の画像における撮像者の移動経路に対応付けて格納している第２格納部と、第１格納部に格納されている複数の画像のそれぞれにおける撮像順序及び撮像地点に基づいて、当該複数の画像における利用者の移動経路を算出する移動経路算出部と、第２格納部に格納されている複数の電子アルバムから、移動経路算出部により算出された移動経路に対して予め定められた基準値以上の一致度を示す移動経路に対応する電子アルバムを検出するアルバム検出部と、アルバム検出部により検出された電子アルバムに含まれる複数の画像の少なくとも一部を第１格納部に格納させることにより、利用者の電子アルバムを編集する編集部とを備える。
【０００６】
編集部は、アルバム検出部により検出された電子アルバムに含まれる複数の画像のうち、第１格納部に格納されているすべての画像の撮像地点から予め定められた距離以上離れた地点で撮像されている画像を、第１格納部に格納させることにより、利用者の電子アルバムを編集してもよい。アルバム検出部は、第２格納部に格納されている複数の電子アルバムに含まれる一の電子アルバムについて、当該一の電子アルバムに対応して第２格納部に格納されている移動経路と移動経路算出部により算出された移動経路との一致度が予め定められた基準値以上であり、且つ、当該一の電子アルバムに含まれる複数の画像が撮像された期間と第１格納部に格納されている複数の画像が撮像された期間との一致度が予め定められた基準値以上である場合に、当該一の電子アルバムを検出してもよい。
【０００７】
当該電子アルバム編集システムは、第２格納部に格納されている複数の電子アルバムにおける撮像者のそれぞれに対応付けて、重みを保持している重み保持部と、アルバム検出部により電子アルバムが検出された場合に、当該検出された電子アルバムにおける撮像者に対応付けて重み保持部に保持されている重みを増加させる重み更新部とを更に備え、アルバム検出部は、第２格納部に格納されている複数の電子アルバムに含まれる、移動経路算出部により算出された移動経路に対して予め定められた基準値以上の一致度を示す移動経路に対応する複数の電子アルバムのうち、それぞれの電子アルバムにおける撮像者に対応する重みが最も大きい電子アルバムを、重み保持部から検出してもよい。
【０００８】
また、移動経路算出部が算出した移動経路を利用者に提示する移動経路提示部と、移動経路提示部が提示した移動経路を利用者の指示により変更する移動経路変更制御部とを更に備え、アルバム検出部は、第２格納部に格納されている複数の電子アルバムから、移動経路変更制御部が変更した移動経路に対して予め定められた基準値以上の一致度を示す移動経路に対応する電子アルバムを検出してもよい。そして、第２格納部に格納されている複数の電子アルバムから、移動経路算出部により算出された移動経路に対して予め定められた基準値以上の一致度を示す移動経路に対応する複数の電子アルバムをアルバム検出部が検出した場合に、第１格納部が画像に対応づけて更に格納している撮像日時から、移動経路算出部が算出した移動経路を利用者が移動した移動時期を特定する第１移動時期特定部と、第２格納部が画像に対応づけて更に格納している撮像日時から、アルバム検出部が検出した電子アルバムに含まれる画像に対応づけて第２格納部が格納している移動経路を撮像者が移動した移動時期を特定して当該電子アルバムに対応づけて記録する第２移動時期特定部とを更に備え、アルバム検出部は、アルバム検出部が検出した複数の電子アルバムの中で、第１移動時期特定部が特定した移動時期に最も近い、第２移動時期特定部が特定した移動時期に対応づけて記録している移動経路に対応づけて第２格納部が格納している電子アルバムを検出してもよい。
【０００９】
また、本発明の第２の形態においては、複数の画像を含む電子アルバムを編集する電子アルバム編集方法であって、第１格納部は、利用者により撮像された複数の画像を電子アルバムとして格納しており、第２格納部は、利用者とは異なる撮像者により撮像された複数の画像を含む電子アルバムのそれぞれを、当該電子アルバムに含まれる複数の画像における撮像者の移動経路に対応付けて格納しており、当該電子アルバム編集方法は、第１格納部に格納されている複数の画像のそれぞれにおける撮像順序及び撮像地点に基づいて、当該複数の画像における利用者の移動経路を算出する移動経路算出段階と、第２格納部に格納されている複数の電子アルバムから、移動経路算出段階において算出された移動経路に対して予め定められた基準値以上の一致度を示す移動経路に対応する電子アルバムを検出するアルバム検出段階と、アルバム検出段階において検出された電子アルバムに含まれる複数の画像の少なくとも一部を第１格納部に格納させることにより、利用者の電子アルバムを編集する編集段階とを備える。
【００１０】
また、本発明の第３の形態においては、電子アルバム編集システムとしてコンピュータを機能させる電子アルバム編集プログラムであって、コンピュータを、利用者により撮像された複数の画像を電子アルバムとして格納している第１格納部と、利用者とは異なる撮像者により撮像された複数の画像を含む電子アルバムのそれぞれを、当該電子アルバムに含まれる複数の画像における撮像者の移動経路に対応付けて格納している第２格納部と、第１格納部に格納されている複数の画像のそれぞれにおける撮像順序及び撮像地点に基づいて、当該複数の画像における利用者の移動経路を算出する移動経路算出部と、第２格納部に格納されている複数の電子アルバムから、移動経路算出部により算出された移動経路に対して予め定められた基準値以上の一致度を示す移動経路に対応する電子アルバムを検出するアルバム検出部と、アルバム検出部により検出された電子アルバムに含まれる複数の画像の少なくとも一部を第１格納部に格納させることにより、利用者の電子アルバムを編集する編集部とを備える電子アルバム編集システムとして機能させる。
【００１１】
なお、上記の発明の概要は、本発明の必要な特徴の全てを列挙したものではなく、これらの特徴群のサブコンビネーションもまた、発明となりうる。
【発明の効果】
【００１２】
本発明によれば、他の撮像者が撮像した画像を追加して利用者の電子アルバムを編集する場合に、当該電子アルバムに含まれる画像に関連した、利用者が当該電子アルバムに追加したいと所望する画像を精度よく選択して追加することができる。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１４】
図１は、本実施形態に係る電子アルバム編集システム１０の機能構成の一例を示すブロック図である。電子アルバム編集システム１０は、第１格納部１００、移動経路算出部１１０、第２格納部１２０、アルバム検出部１３０、重み保持部１４０、重み更新部１５０、及び編集部１６０を備える。電子アルバム編集システム１０は、利用者とは異なる撮像者による複数の電子アルバムから一の電子アルバムを検出して、検出した電子アルバムに含まれる画像を利用者の電子アルバムに追加することにより、利用者の電子アルバムを編集する。
【００１５】
本実施形態に係る電子アルバム編集システム１０は、利用者の電子アルバムに追加する画像を、利用者の電子アルバムにおける移動経路に類似した移動経路に対応している電子アルバムから選択することにより、利用者の電子アルバムに含まれる画像に関連する画像を追加して、利用者の電子アルバムを編集することを目的とする。
【００１６】
第１格納部１００は、利用者により撮像された複数の画像を電子アルバムとして格納している。第１格納部１００は、例えば、ハードディスクドライブ等の磁気記憶装置、フラッシュメモリ等の半導体記録媒体、ＣＤ−Ｒ等の光学記録媒体、もしくはその他の記録媒体であってよい。移動経路算出部１１０は、第１格納部１００に格納されている複数の画像のそれぞれにおける撮像順序及び撮像地点に基づいて、当該複数の画像における利用者の移動経路を算出する。そして、移動経路算出部１１０は、算出した移動経路をアルバム検出部１３０に出力する。
【００１７】
第２格納部１２０は、利用者とは異なる撮像者により撮像された複数の画像を含む電子アルバムを複数格納している。ここで、第２格納部１２０に格納されている複数の電子アルバムにおける撮像者は、少なくとも一部の電子アルバムで同一であってよく、また、それぞれの電子アルバムで互いに異なっていてもよい。また、第２格納部１２０は、当該複数の電子アルバムのそれぞれに対応付けて、当該電子アルバムに含まれる複数の画像における撮像者の移動経路を格納している。第２格納部１２０は、例えば、ハードディスクドライブ等の磁気記憶装置、フラッシュメモリ等の半導体記録媒体、ＣＤ−Ｒ等の光学記録媒体、もしくはその他の記録媒体であってよい。また、第２格納部１２０は、例えばインターネット等において公開されているサーバーであってもよい。
【００１８】
アルバム検出部１３０は、第２格納部１２０に格納されている複数の電子アルバムから、移動経路算出部１１０により算出された移動経路に対して予め定められた基準値以上の一致度を示す移動経路に対応する電子アルバムを検出する。そして、アルバム検出部１３０は、検出した電子アルバムを示す情報を、重み更新部１５０及び編集部１６０に出力する。重み保持部１４０は、第２格納部１２０に格納されている複数の電子アルバムにおける撮像者のそれぞれに対応付けて、重みを保持している。なお、アルバム検出部１３０は、複数の電子アルバムから、利用者の移動経路に対して基準値以上の一致度を示す移動経路に対応する電子アルバムを検出する場合に、重み保持部１４０が保持している撮像者毎の重みに更に基づいて、電子アルバムを検出してもよい。重み更新部１５０は、アルバム検出部１３０により電子アルバムが検出された場合に、当該検出された電子アルバムにおける撮像者に対応付けて重み保持部１４０に保持されている重みを増加させる。一方、編集部１６０は、アルバム検出部１３０により検出された電子アルバムに含まれる複数の画像の少なくとも一部を第２格納部１２０から読み出して、第１格納部１００に格納させることにより、利用者の電子アルバムを編集する。
【００１９】
本実施形態に係る電子アルバム編集システム１０によれば、利用者が、電子アルバムとして画像を一纏めにして管理している場合に、他の撮像者による電子アルバムに含まれる画像を追加して、利用者の電子アルバムを編集することができる。ここで、利用者の電子アルバムに追加される画像は、他の撮像者による複数の電子アルバムから無作為に選択された電子アルバムに含まれる画像ではなく、電子アルバムに含まれる画像の撮像中に利用者が移動した移動経路に対して、基準値以上の一致度を示す移動経路で移動して撮像された画像を含む電子アルバムから選択された画像である。利用者の電子アルバムにおける移動経路に類似する移動経路で撮像された画像は、利用者が撮像した画像の撮像地点に近接する地点で撮像されている場合に、利用者の電子アルバムに対して高い関連性を示すのは勿論である。しかし、当該画像は、利用者が撮像した画像の撮像地点から離れた地点で撮像されている場合であっても、利用者が画像を撮像しつつ移動していたときに通過した地点、またはその近傍で撮像された画像である可能性が高いという点で、利用者の電子アルバムに対して高い関連性を示すと言える。従って、電子アルバム編集システム１０を用いることにより、利用者は、他の撮像者による電子アルバムに含まれる画像を見ながら、自身の電子アルバムに追加する画像を手動で選択する作業をすることなく、自身の電子アルバムに含まれる画像に対して関連性の高い、好適な画像を追加して、電子アルバムを編集することができる。
【００２０】
図２は、本実施形態に係る第１格納部１００の一例を示す。第１格納部１００は、利用者が撮像した複数の画像、具体的には、画像２００、画像２１０、画像２２０、・・・を格納している。また、第１格納部１００は、それぞれの画像に対応付けて、当該画像の撮像日時と、当該画像の撮像地点、具体的には撮像地点の緯度及び経度とを格納している。移動経路算出部１１０は、複数の画像のそれぞれにおける撮像日時に基づいて、当該複数の画像の撮像順序を検出する。そして、移動経路算出部１１０は、例えば、複数の画像における撮像地点のそれぞれを、検出した撮像順序に従って、移動経路における、始点、任意数の中継点、及び終点のそれぞれとすることにより、当該複数の画像における利用者の移動経路を算出してよい。
【００２１】
図３は、本実施形態に係る第２格納部１２０の一例を示す。第２格納部１２０は、利用者とは異なる撮像者による複数の電子アルバム、具体的には、電子アルバム３００、電子アルバム３１０、・・・を格納している。そして、第２格納部１２０は、複数の電子アルバムのそれぞれに含まれる、複数の画像を格納している。具体的には、第２格納部１２０は、電子アルバム３００に含まれる画像として、画像３０２、画像３０４、・・・を格納しており、また、電子アルバム３１０に含まれる画像として、画像３１２、画像３１４、・・・を格納している。ここで、第２格納部１２０は、更に、それぞれの画像に対応付けて、当該画像の撮像日時と、当該画像の撮像地点、具体的には撮像地点の緯度及び経度とを格納している。
【００２２】
また、第２格納部１２０は、複数の電子アルバムのそれぞれに対応付けて、当該電子アルバムに含まれる複数の画像における撮像者の移動経路を格納している。例えば、第２格納部１２０は、複数の画像における撮像地点のそれぞれを、撮像順序に従って、始点、任意数の中継点、及び終点のそれぞれとした移動経路を格納していてよい。なお、第２格納部１２０は、必ずしも、電子アルバムのそれぞれに対応付けて、当該電子アルバムにおける撮像者の移動経路を予め格納していなくともよく、当該移動経路は、それぞれの画像における撮像日時及び撮像地点に基づいて、アルバム検出部１３０によって電子アルバムが検出される都度算出されてもよい。しかし、本図に示したように、第２格納部１２０が、電子アルバムにおける移動経路を予め算出して格納しているので、電子アルバムにおける移動経路を、アルバム検出部１３０が電子アルバムを検出する都度算出する場合よりも、アルバム検出部１３０はより短時間で電子アルバムを検出できる。
【００２３】
また、第２格納部１２０は、複数の電子アルバムのそれぞれに対応付けて、当該電子アルバムにおける撮像者を識別する情報を格納している。例えば、第２格納部１２０は、電子アルバム３００における撮像者を識別する情報として、撮像者３０６を格納して、また、電子アルバム３１０における撮像者を識別する情報として、撮像者３１６を格納している。なお、重み保持部１４０は、第２格納部１２０が格納している、それぞれの撮像者を識別する情報と同一の情報、及び当該撮像者における重みを、対応付けて格納していてよい。
【００２４】
図４は、本実施形態に係るアルバム検出部１３０における処理の一例を示す。本図において、移動経路４００は、移動経路算出部１１０により算出された、利用者の電子アルバムに含まれる複数の画像における、利用者の移動経路を示す。また、移動経路４１０は、第２格納部１２０において、一の電子アルバムに対応付けて格納されている移動経路を示す。ここで、それぞれの移動経路は、図２及び図３において説明したように、それぞれの電子アルバムに含まれる画像における、複数の撮像地点を含んでいるとする。
【００２５】
アルバム検出部１３０は、移動経路４１０に含まれる地点のそれぞれについて、移動経路４００に含まれる、前後する地点間を結ぶ複数の経路のうち、当該地点に最も近い経路との距離を算出する。例えば、アルバム検出部１３０は、移動経路４１０に含まれる地点４１２について、移動経路４００に含まれる複数の経路のうち、地点４１２に最も近い経路である、地点４０２と地点４０４とを結ぶ経路との距離４２０を算出する。また、アルバム検出部１３０は、移動経路４１０に含まれる他の地点についても同様に、移動経路４００に含まれる経路との距離を算出する。そして、アルバム検出部１３０は、それぞれの地点について算出した距離の二乗和を算出する。ここで、算出された二乗和の逆数は、移動経路４００と移動経路４１０との一致度の一例である。更に、アルバム検出部１３０は、第２格納部１２０に含まれる複数の電子アルバムのそれぞれについて、前述した二乗和を算出する。
【００２６】
そして、アルバム検出部１３０は、算出した二乗和が最も小さい電子アルバムを、利用者の電子アルバムにおける移動経路４００に対して最も一致度が高い移動経路に対応する電子アルバムとして、つまり、利用者の電子アルバムに追加する画像を選択する電子アルバムとして検出する。ここで、アルバム検出部１３０は、算出した二乗和が、予め定められた基準値以下である場合にだけ、即ち、二乗和の逆数によって示される一致度が、予め定められた基準値以上である場合にだけ、電子アルバムを検出してよい。なお、二乗和における予め定められた基準値とは、利用者の電子アルバムにおける移動経路と、第２格納部１２０に格納されている一の電子アルバムにおける移動経路とが、それぞれの移動経路において十分に関連性の高い画像が撮像されると利用者が判定する場合における、二乗和の上限値であってよく、利用者等によって予め定められていてよい。
【００２７】
また、アルバム検出部１３０は、利用者の電子アルバムに追加する画像を選択する電子アルバムとして、第２格納部１２０に格納されている一の電子アルバムを検出する場合に、当該一の電子アルバムにおける移動経路と、移動経路算出部１１０により算出された、利用者の電子アルバムにおける移動経路との一致度が基準値以上であるだけでなく、更に、当該一の電子アルバムに含まれる複数の画像が撮像された期間と、第１格納部１００に格納されている、利用者の電子アルバムに含まれる複数の画像が撮像された期間との一致度が予め定められた基準値以上である場合に、当該一の電子アルバムを検出してもよい。
【００２８】
例えば、アルバム検出部１３０は、利用者の電子アルバムに含まれる複数の画像のそれぞれに対応付けて第１格納部１００に格納されている撮像日時に基づいて、当該複数の画像が撮像された期間を算出する。更に、アルバム検出部１３０は、当該一の電子アルバムに含まれる複数の画像のそれぞれに対応付けて第２格納部１２０に格納されている撮像日時に基づいて、当該複数の画像が撮像された期間を算出する。そして、アルバム検出部１３０は、当該一の電子アルバムについて算出した期間のうち、利用者の電子アルバムについて算出した期間に重複する期間を検出すると共に、当該検出した期間における、当該一の電子アルバムについて算出した期間全体に対する割合を算出する。ここで、アルバム検出部１３０が算出した割合は、当該一の電子アルバムと、利用者の電子アルバムとにおける、画像を撮像した期間の一致度の一例である。そして、アルバム検出部１３０は、算出した割合が予め定められた基準値以上である場合に、当該一の電子アルバムを検出する。ここで、算出した割合における予め定められた基準値とは、利用者の電子アルバムに含まれる画像と、当該一の電子アルバムに含まれる画像とが、十分に高い関連性を示すと利用者が判定する場合の、画像が撮像された期間における重複の割合の下限値であってよく、例えば０．７等として、利用者等によって予め定められていてよい。
【００２９】
本実施形態に係る電子アルバム編集システム１０によれば、利用者の電子アルバムに追加する画像を選択する電子アルバムを検出する場合に、移動経路における一致度だけでなく、撮像期間における一致度も判定することにより、例えば、同じ季節に撮像された画像、旅行に同行した人物によって撮像された画像といった、利用者の電子アルバムに含まれる画像に対して関連性の高い画像を精度よく選択して、利用者の電子アルバムに追加することができる。
【００３０】
また、アルバム検出部１３０は、第２格納部１２０に格納されている複数の電子アルバムに含まれる、移動経路算出部１１０により算出された移動経路に対して予め定められた基準値以上の一致度を示す移動経路に対応する複数の電子アルバムのうち、それぞれの電子アルバムにおける撮像者に対応する重みが最も大きい電子アルバムを、重み保持部１４０から検出して、検出した電子アルバムを、利用者の電子アルバムに追加する画像を選択する電子アルバムとしてもよい。ここで、アルバム検出部１３０は、例えば、利用者の移動経路に対して基準値以上の一致度を示す移動経路に対応する複数の電子アルバムを示す情報を、電子アルバム編集システム１０に設けられた表示デバイスに表示することによって利用者に提示して、利用者の電子アルバムに追加する画像を、何れの電子アルバムから選択するかを、利用者に指示させてもよい。
【００３１】
本実施形態に係る電子アルバム編集システム１０によれば、利用者の電子アルバムに追加する画像を選択する電子アルバムとして、以前に一致度の高い移動経路で画像を撮像した撮像者、利用者の電子アルバムに追加する画像として好適な画像を含むとして、利用者自身に指示された電子アルバムの撮像者による電子アルバムを、優先して検出することができる。これにより、電子アルバム編集システム１０が、利用者の電子アルバムに追加する画像を選択する電子アルバムを自動的に検出する場合であっても、利用者の電子アルバムに追加する画像として好適な画像を含む電子アルバムを、より高い精度で検出することができる。
【００３２】
図５は、本実施形態に係る編集部１６０における処理の一例を示す。本図においては、アルバム検出部１３０によって検出された電子アルバムから、利用者の電子アルバムに追加する画像を選択する処理の一例について説明する。図５（ａ）は、利用者の電子アルバムに含まれる画像を、移動経路に従って、撮像地点毎に示している。また、図５（ｂ）は、アルバム検出部１３０によって検出された、利用者とは異なる撮像者の電子アルバムに含まれる画像を、移動経路に従って、撮像地点（Ａ〜Ｌ）毎に示している。
【００３３】
図５（ｂ）において、検出された電子アルバムに含まれる画像のうち、利用者の電子アルバムに含まれる何れかの画像における撮像地点から予め定められた距離以下だけ離れた地点で撮像されている画像は、例えば地点Ｇのように、当該撮像地点に示されている。また、図５（ｂ）において、検出された電子アルバムに含まれる画像のうち、利用者の電子アルバムに含まれる何れの画像の撮像地点からも予め定められた距離以上に離れた地点で撮像されている画像は、例えば地点Ｄのように、当該画像の撮像地点に最も近い、利用者の電子アルバムに含まれる２つの画像の撮像地点の間に示されている。ここで、予め定められた距離とは、利用者の電子アルバムに含まれる画像と、検出された電子アルバムに含まれる画像とが、近接した地点で撮像されていることによって、それぞれの画像の内容において高い類似性を示すと利用者が判定する場合の、それぞれの撮像地点の間の距離の上限値であってよく、例えば３００メートル等として、利用者等により予め定められていてよい。
【００３４】
そして、編集部１６０は、アルバム検出部１３０により検出された電子アルバムに含まれる複数の画像のうち、第１格納部１００に格納されているすべての画像の撮像地点から予め定められた距離以上離れた地点で撮像されている画像を、第１格納部１００に格納させることにより、利用者の電子アルバムを編集する。具体的には、編集部１６０は、図５（ｂ）に示した、アルバム検出部１３０により検出された電子アルバムに含まれる画像のうち、利用者の電子アルバムにおいて、近接した地点で撮像された画像が含まれていない、地点Ｄ、地点Ｅ及び地点Ｋにおいて撮像された画像のそれぞれを選択して、選択した画像を、第１格納部１００に格納させる。また、編集部１６０は、本図に示した内容を、電子アルバム編集システム１０に設けられた表示デバイスに表示して、電子アルバムに追加する画像を、利用者自身に指示させてもよい。
【００３５】
利用者の電子アルバムに追加する画像として、当該電子アルバムに含まれる画像の撮像地点の近傍で撮像された画像を選択する場合には、必然的に、既に当該電子アルバムに含まれている画像と類似する画像が選択されてしまう。しかし、本実施形態に係る電子アルバム編集システム１０によれば、移動経路が類似する、利用者とは異なる撮像者の電子アルバムから画像を選択する場合において、利用者の電子アルバムに含まれる画像の撮像地点から離れた地点で撮像された画像を選択することができる。これにより、例えば利用者が旅行中に撮り逃した画像といった、利用者の電子アルバムに含まれる画像に対して高い関連性を示しながらも必要以上に類似しない、電子アルバムにおける内容の多様性を高めることのできる画像を選択して、利用者の電子アルバムに追加することができる。
【００３６】
図６は、本実施形態に係る電子アルバム編集システム１０における処理の流れの一例を示すフローチャートを示す。まず、移動経路算出部１１０は、第１格納部１００に格納されている、利用者の電子アルバムに含まれる複数の画像のそれぞれにおける撮像順序及び撮像地点に基づいて、当該複数の画像における利用者の移動経路を算出する（Ｓ１０００）。続いて、アルバム検出部１３０は、第２格納部１２０に格納されている複数の電子アルバムから、移動経路算出部１１０により算出された移動経路に対して予め定められた基準値以上の一致度を示す移動経路に対応する電子アルバムを検出する（Ｓ１０１０）。ここで、アルバム検出部１３０は、重み保持部１４０が保持している、電子アルバムにおける撮像者毎の重みに更に基づいて、電子アルバムを検出してもよい。そして、アルバム検出部１３０は、利用者の移動経路に対して基準値以上の一致度を示す移動経路に対応する電子アルバムを検出できたか否かを判定する（Ｓ１０２０）。アルバム検出部１３０により、電子アルバムを検出できたと判定された場合に（Ｓ１０２０：Ｙｅｓ）、重み更新部１５０は、当該検出された電子アルバムにおける撮像者に対応付けて重み保持部１４０に保持されている重みを増加させる（Ｓ１０３０）。続いて、編集部１６０は、アルバム検出部１３０により検出された電子アルバムに含まれる複数の画像の少なくとも一部を第２格納部１２０から読み出して、第１格納部１００に格納させることにより、利用者の電子アルバムを編集する（Ｓ１０４０）。
【００３７】
図７は、本実施形態に係る電子アルバム編集システム１０の機能構成の一例を示す。電子アルバム編集システム１０は、移動経路提示部１７０、移動経路変更制御部１７２、第１移動時期特定部１８０、及び第２移動時期特定部１８２を備える。なお、本実施形態に係る電子アルバム編集システム１０は、図１から図６での上記説明で説明した電子アルバム編集システム１０の構成、および機能の一部または全部を更に備えてよい。移動経路算出部１１０は、算出した移動経路を移動経路提示部１７０および移動経路変更制御部１７２に出力する。移動経路提示部１７０は、移動経路算出部１１０から受け取った移動経路を利用者に提示する。具体的には、移動経路提示部１７０は、モニタ等の表示部に、利用者の移動経路を、利用者が移動経路を視覚的に把握できるように表示する。例えば、移動経路提示部１７０は、移動経路が含まれる領域の地図を表示して、当該地図と移動経路に含まれる撮像地点を示す点とを重畳して表示してよい。また、移動経路提示部１７０は、移動経路に含まれる複数の撮像地点の間を、例えば、線分で結んで表示してもよい。
【００３８】
移動経路変更制御部１７２は、移動経路提示部１７０が提示した移動経路を利用者に変更させる。具体的には、移動経路変更制御部１７２は、移動経路算出部１１０が算出した利用者の移動経路の少なくとも一部の撮像地点を利用者に変更させることにより移動経路を変更してよい。例えば、移動経路変更制御部１７２は、移動経路提示部１７０が提示した移動経路に含まれる撮像地点を、利用者が所望する地点に利用者に移動させることによって移動経路を変更させてよい。移動経路変更制御部１７２は、利用者が変更した移動経路を移動経路提示部１７０に出力して移動経路提示部１７０に変更後の移動経路を表示させる。また、移動経路変更制御部１７２は、変更後の移動経路を移動経路算出部１１０に出力する。移動経路算出部１１０は、移動経路変更制御部１７２から受け取った、変更後の移動経路をアルバム検出部１３０に出力する。
【００３９】
アルバム検出部１３０は、第２格納部１２０に格納されている複数の電子アルバムから、移動経路変更制御部１７２が変更した移動経路に対して予め定められた基準値以上の一致度を示す移動経路に対応する電子アルバムを検出する。そして、編集部１６０は、アルバム検出部１３０が検出した電子アルバムが格納する複数の画像の少なくとも一部を第１格納部１００に格納させる。
【００４０】
本実施形態に係る電子アルバム編集システム１０によれば、利用者の移動経路を提示して、提示した移動経路に含まれる撮像地点を利用者が変更することにより、移動経路を変更することができる。そして、変更後の移動経路に基づいて、当該変更後の移動経路に対応する電子アルバムを検出して、検出した電子アルバムが格納する画像を利用者の電子アルバムに格納することができる。これにより、利用者が撮像を所望していたが撮像できなかった地点の画像を利用者の電子アルバムに格納できるので、利用者の満足度を高めることができる。
【００４１】
また、第１格納部１００は、第１移動時期特定部１８０の制御に基づいて、画像に対応づけて格納している撮像日時を第１移動時期特定部１８０に出力する。第２格納部１２０は、第２移動時期特定部１８２の制御に基づいて、画像に対応づけて格納している撮像日時を第２移動時期特定部１８２に出力する。そして、第２格納部１２０に格納されている複数の電子アルバムから、移動経路算出部１１０が算出した移動経路に対して予め定められた基準値以上の一致度を示す移動経路に対応する複数の電子アルバムをアルバム検出部１３０が検出した場合を考える。係る場合において、第１移動時期特定部１８０は、第１格納部１００が画像に対応づけて更に格納している撮像日時を受け取る。そして、第１移動時期特定部１８０は、第１格納部１００から受け取った撮像日時から、移動経路算出部１１０が算出した移動経路を利用者が移動した時期を特定する。
【００４２】
具体的には、移動経路算出部１１０が算出した移動経路に対して予め定められた基準値以上の一致度を示す移動経路に対応する複数の電子アルバムをアルバム検出部１３０が検出した場合に、アルバム検出部１３０は、第１移動時期特定部１８０に、移動経路算出部１１０が算出した移動経路の情報を供給して、第１移動時期特定部１８０に対して、当該移動経路を利用者が移動した移動時期を特定させることを目的として働きかける。第１移動時期特定部１８０は、受け取った移動経路の情報から、当該移動経路の算出に移動経路算出部１１０が使用した画像に対応づけて第１格納部１００が格納している撮像日時を特定する。そして、第１移動時期特定部１８０は、特定した撮像日時から、利用者が移動経路を移動した移動時期を特定する。移動時期は、例えば、年月日および時・分単位等で特定してよい。
【００４３】
第２移動時期特定部１８２は、第２格納部１２０が画像に対応づけて更に格納している撮像日時から、アルバム検出部１３０が検出した電子アルバムに含まれる画像に対応づけて第２格納部１２０が格納している移動経路を撮像者が移動した移動時期を特定して、電子アルバムに対応づけて記録する。具体的には、移動経路算出部１１０が算出した移動経路に対して予め定められた基準値以上の一致度を示す移動経路に対応する複数の電子アルバムをアルバム検出部１３０が検出した場合に、アルバム検出部１３０は、第２移動時期特定部１８２に、検出した電子アルバムの情報を供給して、第２移動時期特定部１８２に対して、当該電子アルバムに含まれる画像に対応づけて第２格納部１２０が格納している移動経路を撮像者が移動した移動時期を特定させることを目的として働きかける。第２移動時期特定部１８２は、受け取った電子アルバムの情報から、当該電子アルバムに含まれる画像に対応づけて第２格納部１２０が格納している撮像日時を特定する。そして、第２移動時期特定部１８２は、特定した撮像日時から、撮像者が移動経路を移動した移動時期を特定する。
【００４４】
第１移動時期特定部１８０および第２移動時期特定部１８２は、特定した利用者の移動時期および撮像者の移動時期を、それぞれアルバム検出部１３０に出力する。そして、アルバム検出部１３０は、アルバム検出部１３０が検出した複数の電子アルバムの中で、第１移動時期特定部１８０が特定した移動時期に最も近い、第２移動時期特定部１８２が特定した移動時期に対応づけて記録している移動経路に対応づけて第２格納部１２０が格納している電子アルバムを検出する。続いて、編集部１６０が、アルバム検出部１３０が検出した電子アルバムに含まれる複数の画像の少なくとも一部を第１格納部１００に格納させて、利用者の電子アルバムを編集する。
【００４５】
本実施形態に係る電子アルバム編集システム１０によれば、アルバム検出部１３０が利用者の移動経路に対して予め定められた基準値以上の一致度を示す移動経路に対応する複数のアルバムを検出した場合において、移動経路を利用者が移動した移動時期に最も近い、撮像者が移動した移動時期に対応する電子アルバムを検出して、検出した電子アルバムに格納されている画像を利用者の電子アルバムに取り込むことができる。これにより、利用者が移動経路を移動した移動時期と全く異なる移動時期に撮像された画像を利用者の電子アルバムに格納することがなくなるので、撮像時期が異なることによって利用者に違和感を感じさせる電子アルバムの作成を回避できる。
【００４６】
図８は、本実施形態に係る移動経路変更制御部１７２の処理の一例を示す。移動経路変更制御部１７２は、移動経路提示部１７０が提示した移動経路を利用者に変更させる。具体的には、移動経路変更制御部１７２は、移動経路提示部１７０が提示した移動経路に含まれる複数の撮像地点の少なくとも一部を利用者に選択させる。そして、移動経路変更制御部１７２は、利用者が選択した撮像地点を、移動経路提示部１７０が提示している領域の範囲内において、利用者が所望する地点に移動させることによって移動経路を変更してよい。例えば、移動経路提示部１７０が、利用者の移動経路として、地点５００、地点５０２、地点５０４、地点５０６、および地点５０８を含む移動経路５０を利用者に提示した場合を考える。ここで、ユーザは、地点５１０において撮像された画像を所望したとする。係る場合において、移動経路変更制御部１７２は、例えば、利用者に地点５０６を選択させて、地点５０６を地点５１０まで移動させることによって移動経路を変更する。これにより、移動経路変更制御部１７２は、移動経路５０から、地点５００、地点５０２、地点５０４、地点５１０、および地点５０８を経由する移動経路５２に移動経路を変更できる。
【００４７】
図９は、本実施形態に係るアルバム検出部１３０における処理の一例を示す。アルバム検出部１３０が、移動経路算出部１１０が算出した移動経路に対して予め定められた基準値以上の一致度を示す移動経路に対応する複数の電子アルバムを、第２格納部１２０に格納されている複数の電子アルバムから検出した場合を考える。例えば、移動経路算出部１１０が算出した移動経路が移動経路６０であった場合に、移動経路６０に対して予め定められた基準値以上の一致度を示す移動経路として、移動経路７０および移動経路８０がアルバム検出部１３０により検出されたとする。
【００４８】
係る場合において、第１移動時期特定部１８０は、第１格納部１００が画像に対応づけて更に格納している撮像日時から、移動経路算出部１１０が算出した移動経路６０を利用者が移動した移動時期を特定する。例えば、移動経路６０は地点６００から地点６１０まで利用者が移動しているが、第１移動時期特定部１８０は地点６００において撮像された画像に対応づけて第１格納部１００が格納している撮像日時および地点６１０において撮像された画像に対応づけて第１格納部１００が格納している撮像日時から、利用者が移動経路６０を移動した移動時期を特定する。例えば、第１移動時期特定部１８０は、移動経路６０を利用者が移動した移動時期を、「２００５年１月○日から△日」等と特定する。
【００４９】
一方、第２移動時期特定部１８２は、第２格納部１２０が画像に対応づけて更に格納している撮像日時から、アルバム検出部１３０が検出した複数の電子アルバムに含まれる画像に対応づけて第２格納部１２０が格納している移動経路７０および移動経路８０を撮像者が移動した移動時期を特定する。例えば、移動経路７０は地点７００から地点７１０まで利用者が移動しているが、第２移動時期特定部１８２は地点７００において撮像された画像に対応づけて第２格納部１２０が格納している撮像日時および地点７１０において撮像された画像に対応づけて第２格納部１２０が格納している撮像日時から、利用者が移動経路７０を移動した移動時期を特定する。
【００５０】
例えば、第２移動時期特定部１８２は、移動経路７０を利用者が移動した移動時期を、「２００４年８月□日から×日」等と特定する。同様に、第２移動時期特定部１８２は、移動経路８０を利用者が移動した移動時期を特定する。例えば、第２移動時期特定部１８２は、移動経路８０を利用者が移動した移動時期を、「２００３年１月○日から×日」等と特定する。なお、移動時期は、年月日の範囲、時・分の範囲、および予め定められた期間（例えば、季節等）であってよい。例えば、第１移動時期特定部１８０および第２移動時期特定部１８２が特定した移動時期の月に基づいて、当該月に対応する季節を移動時期として特定してもよい。
【００５１】
そして、アルバム検出部１３０は、第１移動時期特定部１８０が特定した移動時期に最も近い、第２移動時期特定部１８２が特定した移動時期に対応づけて記録している移動経路に対応づけて第２格納部１２０が格納している電子アルバムを検出する。例えば、アルバム検出部１３０は、第１移動時期特定部１８０が特定した移動経路６０の移動時期と最も近い移動時期に対応する、移動経路８０に対応づけて第２格納部１２０が格納している電子アルバムを検出してよい。そして、編集部１６０は、アルバム検出部１３０が検出した電子アルバムに含まれる複数の画像の少なくとも一部を第１格納部に格納させて、利用者の電子アルバムを編集する。
【００５２】
図１０は、本実施形態に係るコンピュータ１５００のハードウェア構成の一例を示すブロック図である。本実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００５３】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００５４】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、コンピュータ１５００内のＣＰＵ１５０５が使用するプログラム及びデータを格納する。ＣＤ−ＲＯＭドライブ１５６０は、ＣＤ−ＲＯＭ１５９５からプログラム又はデータを読み取り、ＲＡＭ１５２０を介してハードディスクドライブ１５４０に提供する。
【００５５】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラム、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００５６】
ＲＡＭ１５２０を介してハードディスクドライブ１５４０に提供される電子アルバム編集プログラムは、フレキシブルディスク１５９０、ＣＤ−ＲＯＭ１５９５、又はＩＣカード等の記録媒体に格納されて利用者によって提供される。電子アルバム編集プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行される電子アルバム編集プログラムは、ＣＰＵ１５０５等に働きかけて、コンピュータ１５００を、図１から図９にかけて説明した電子アルバム編集システム１０として機能させる。
【００５７】
以上に示したプログラムは、外部の記憶媒体に格納されてもよい。記憶媒体としては、フレキシブルディスク１５９０、ＣＤ−ＲＯＭ１５９５の他に、ＤＶＤ、ＰＤ等の光学記録媒体、ＭＤ等の光磁気記録媒体、テープ媒体、ＩＣカード等の半導体メモリ等を用いることができる。また、専用通信ネットワーク、インターネットに接続されたサーバシステムに設けたハードディスク、又はＲＡＭ等の記憶装置を記録媒体として使用して、ネットワークを介してプログラムをコンピュータ１５００に提供してもよい。
【００５８】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００５９】
【図１】電子アルバム編集システム１０の機能構成を示すブロック図である。
【図２】第１格納部１００を示す図である。
【図３】第２格納部１２０を示す図である。
【図４】アルバム検出部１３０における処理を示す図である。
【図５】編集部１６０における処理を示す図である。
【図６】電子アルバム編集システム１０における処理の流れを示すフローチャートである。
【図７】電子アルバム編集システム１０の機能構成を示すブロック図である。
【図８】移動経路変更制御部１７２における処理を示す図である。
【図９】アルバム検出部１３０における処理を示す図である。
【図１０】コンピュータ１５００のハードウェア構成を示すブロック図である。
【符号の説明】
【００６０】
１０  電子アルバム編集システム
５０、５２  移動経路
６０、７０、８０  移動経路
１００  第１格納部
１１０  移動経路算出部
１２０  第２格納部
１３０  アルバム検出部
１４０  重み保持部
１５０  重み更新部
１６０  編集部
１７０  移動経路提示部
１７２  移動経路変更制御部
１８０  第１移動時期特定部
１８２  第２移動時期特定部
２００、２１０、２２０  画像
３００、３１０  電子アルバム
３０２、３０４、３１２、３１４  画像
４００、４１０  移動経路
４０２、４０４、４１２、４１４  地点
４２０  距離
５００、５０２、５０４、５０６  地点
５０８、５１０  地点
６００、６１０  地点
７００、７１０  地点
８００、８１０  地点
１５００  コンピュータ
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
【図１】
2006270940.tif 000003
【図２】
2006270940.tif 000004
【図３】
2006270940.tif 000005
【図４】
2006270940.tif 000006
【図５】
2006270940.tif 000007
【図６】
2006270940.tif 000008
【図７】
2006270940.tif 000009
【図８】
2006270940.tif 000010
【図９】
2006270940.tif 000011
【図１０】
2006270940.tif 000012